(57)【特許請求の範囲】
【請求項１】
有機ＥＬ素子を所定の輝度で発光させるために必要とされる駆動電流の電流密度と該所定の輝度との関係を示す電気特性について、３原色のある色を発光する第１の有機ＥＬ素子の電気特性が他の２色を発光する第２及び第３の有機ＥＬ素子の電気特性と大きく異なる第１乃至第３の有機ＥＬ素子からなり、前記第１の有機ＥＬ素子を前記第２及び第３の有機ＥＬ素子によって挟む順序で列方向に順次繰り返して配置されているとともに、行方向に同一色を発光する有機ＥＬ素子が連続して配置されているディスプレイを駆動するディスプレイの駆動回路であって、
前記第１の有機ＥＬ素子を駆動するための第１の駆動部と、前記第２及び第３の有機ＥＬ素子を駆動するための第２及び第３の駆動部とを、前記第１乃至第３の有機ＥＬ素子の列方向の配置に対応して、前記第１の駆動部を前記第２及び第３の駆動部によって挟む順序で列方向に順次繰り返して配置してなり、前記第１乃至第３の駆動部は、水平同期信号に同期して、駆動対象となる有機ＥＬ素子に対応する映像信号の電流値を、基準電流として、該有機ＥＬ素子の前記電気特性に応じた入出力電流比を有するカレントミラー回路に入力することによって、該電気特性に応じた電流値を有するパルス信号を、該有機ＥＬ素子に供給することを特徴とするディスプレイの駆動回路。
【請求項２】
前記ディスプレイは、行方向に所定間隔で配線された複数本の走査電極と列方向に所定間隔で配線された複数本のデータ電極との各交点にそれぞれ前記第１乃至第３の発光素子が配列された単純マトリックス型であることを特徴とする請求項１に記載のディスプレイの駆動回路。
【請求項３】
請求項１または２に記載のディスプレイの駆動回路を備えてなることを特徴とする表示装置。
【発明の詳細な説明】
【０００１】
【発明の属する技術分野】
この発明は、ディスプレイの駆動回路及び表示装置に関し、詳しくは、エレクトロルミネセンス（ＥＬ：electroluminescence）素子、発光ダイオード、蛍光表示管（ＶＦＤ：Vacuum Fluoresent Display）（特に、その一種である電界電子放射型ディスプレイ（ＦＥＤ：Field Emission Display））等の発光素子によって構成され、各種の情報、計測結果、動画、あるいは静止画を表示するディスプレイを駆動するディスプレイの駆動回路及びこのようなディスプレイの駆動回路を備えた表示装置に関する。
【０００２】
【従来の技術】
ディスプレイの中には、発光素子によって構成されたものがあり、その発光素子としては、従来から、エレクトロルミネセンス（ＥＬ：electroluminescence）素子、発光ダイオード、蛍光表示管（ＶＦＤ：Vacuum Fluoresent Display）（特に、その一種である電界電子放射型ディスプレイ（ＦＥＤ：Field Emission Display））等があった。このうち、ＥＬ素子によって構成されたＥＬディスプレイは、平面化、薄膜化、軽量化することができるとともに、自発光のため視認性が良く、さらに応答が速く動画表示が可能であるなど、多くの利点を有しており、最近有望視されている。
このようなＥＬ素子としては、従来は、ＺｎＳ：Ｍｎ等の無機材料を使用した無機ＥＬ素子が主流であったが、最近では、スチルベン誘導体等の有機材料を使用した有機ＥＬ素子が開発されている。
【０００３】
図９は、このような有機ＥＬ素子により構成された従来の有機ＥＬディスプレイ１の概略構成例を示す斜視図である。
この例の有機ＥＬディスプレイ１は、フルカラーを表示するものであり、透明基板２上に列方向に所定間隔で形成された複数本のストライプ状のデータ電極（陽極）３と、透明基板２及びデータ電極３上の全面に形成された正孔注入層４と、正孔注入層４上の全面に形成された正孔輸送層５と、それぞれ緑（Ｇ）、赤（Ｒ）、青（Ｂ）の各色を発光し、緑（Ｇ）、赤（Ｒ）、青（Ｂ）の順序で列方向の上記データ電極３の対応する位置に順次繰り返して配置されているとともに、行方向には同一色が連続して配置されている発光層６〜８と、正孔輸送層５及び発光層６〜８上の全面に形成された電子輸送層９と、電子輸送層９上に行方向に所定間隔で形成された複数本のストライプ状の走査電極（陰極）１０とから構成されている。透明基板２はガラス等からなり、データ電極３は錫ドープ酸化インジウム（ＩＴＯ：Indium Tin Oxide）等の透明電極からなり、正孔注入層４及び正孔輸送層５はトリフェニルジアミン誘導体やカルバゾール誘導体等からなり、発光層６〜８はスチルベン誘導体等からなり、電子輸送層９はペリレン誘導体等からなり、走査電極１０はアルミニウム膜等の金属電極からなる。以下、上記有機ＥＬディスプレイ１において、緑（Ｇ）、赤（Ｒ）、青（Ｂ）の各色を発光する各領域をそれぞれ有機ＥＬ素子ＥＬＧ、ＥＬＲ、ＥＬＢと呼ぶことにする。
【０００４】
この例の有機ＥＬディスプレイ１は、１画素がＧ、Ｒ、Ｂの３原色のドット画素により構成され、各ドット画素に対応する有機ＥＬ素子ＥＬＧ、ＥＬＲ、ＥＬＢがＧ、Ｒ、Ｂの順序で列方向に順次繰り返して配置されているとともに、行方向に同一色が連続して配置されている点でストライプ型と呼ばれている。また、この例の有機ＥＬディスプレイ１は、列方向に所定間隔で形成されたデータ電極３と行方向に所定間隔で形成された走査電極１０の各交点をドット画素とする、すなわち、マトリックス状にドット画素が配置され、映像信号に基づいて生成されたデータ信号がデータ電極３に印加されるとともに、水平同期信号及び垂直同期信号に基づいて生成された走査信号が走査電極１０に印加されることにより、任意のドット画素に対応した発光層を発光させて文字や画像等を表示する点で単純マトリックス型と呼ばれている。
【０００５】
図１０は、上記構造を有する有機ＥＬディスプレイ１を駆動する従来の駆動回路の構成例を示すブロック図である。
この例の有機ＥＬディスプレイ１においては、図１０に示すように、各走査電極１０は表示領域１ａの右端から左端にわたって配線され、左端から表示領域１ａ外に引き出されそれぞれ有機ＥＬディスプレイ１の左端部に所定のピッチで設けられた走査端子に接続されているが、データ電極３は表示領域１ａの略中央部で分断され、表示領域１ａの略中央部から表示領域１ａ上端まで配線されているデータ電極３は表示領域１ａの上辺上部に引き出されそれぞれ有機ＥＬディスプレイ１の上端部に所定のピッチで設けられたデータ端子に接続され、表示領域１ａの略中央部から表示領域１ａ下端まで配線されているデータ電極３は表示領域１ａの下辺下部に引き出されそれぞれ有機ＥＬディスプレイ１の下端部に所定のピッチで設けられたデータ端子に接続され、同一列に属する２本のデータ電極３に対して上下両方向のデータ端子からデータ信号が印加されるように構成されている。このようにデータ信号を印加する方法はダブルスキャン方法と呼ばれている。このダブルスキャン方法は、後述するデータ電極駆動回路１２及び１３を構成するＩＣ（集積回路）に高耐圧のものが存在しないため駆動時にこの有機ＥＬディスプレイ１に流れるピーク電流を低く抑える必要があることや、有機ＥＬディスプレイ１の大画面化及び高解像度化に伴って、１本のデータ電極３により駆動すべき有機ＥＬ素子の数が増加して１個のデータ電極駆動回路だけでは同一列のすべての有機ＥＬ素子を駆動することが困難になってきていること、高輝度化を理由として、最近採用されている。
【０００６】
この例の駆動回路は、コントローラ１１と、データ電極駆動回路１２及び１３と、走査電極駆動回路１４とから概略構成されている。
コントローラ１１は、外部から供給される映像信号ＳＰに基づいて映像緑信号ＳＧ、映像赤信号ＳＲ、映像青信号ＳＢを生成してデータ電極駆動回路１２及び１３に供給するとともに、外部から供給される水平同期信号ＳＨ及び垂直同期信号ＳＶに基づいて、水平走査パルスＰＨ及び垂直走査パルスＰＶを生成してデータ電極駆動回路１２及び１３並びに走査電極駆動回路１４に供給する。データ電極駆動回路１２及び１３は、それぞれデータ電極３の本数分の駆動部１５により構成されており、コントローラ１１から供給される水平走査パルスＰＨのタイミングで、電圧信号である映像緑信号ＳＧ、映像赤信号ＳＲ、映像青信号ＳＢから所定の電流値を有する電流信号であるデータ緑信号ＩＤＧ、データ赤信号ＩＤＲ、データ青信号ＩＤＢを生成し、有機ＥＬディスプレイ１の対応するデータ電極３に印加する。走査電極駆動回路１４は、コントローラ１１から供給される垂直走査パルスＰＶのタイミングで、有機ＥＬディスプレイ１の走査電極１０を順次に切り換えて走査する。
【０００７】
【発明が解決しようとする課題】
以上説明したフルカラーを表示する有機ＥＬディスプレイ１は最近開発されたものであり、一般に実用化されているＥＬディスプレイは、橙黄色のモノクロを表示する有機ＥＬ素子により構成された有機ＥＬディスプレイである。したがって、ＥＬディスプレイを駆動するデータ電極駆動回路を構成するＩＣも、モノクロを表示する有機ＥＬディスプレイを対象とし、同一の電流駆動能力を有する駆動部を有しているＩＣだけが流通しているに過ぎない。上記データ電極駆動回路１２及び１３にも、このようなモノクロを表示する有機ＥＬディスプレイを対象としたＩＣを流用しているのが現状である。
【０００８】
ところが、上記した従来のフルカラーを表示する有機ＥＬディスプレイ１においては、緑（Ｇ）、赤（Ｒ）、青（Ｂ）の各色を発光する発光層６〜８に用いている有機材料の種類の違いに起因して、有機ＥＬ素子ＥＬＧ、ＥＬＲ、ＥＬＢの電気特性が図１１及び図１２に示すように異なる。図１１は、従来の有機ＥＬディスプレイの印加電圧−輝度特性の一例を表す特性図であり、図１２は、従来の有機ＥＬディスプレイの印加電圧−電流密度特性の一例を表す特性図である。図１１及び図１２において、曲線ａは緑（Ｇ）を発光する有機ＥＬ素子ＥＬＧの特性、曲線ｂは赤（Ｒ）を発光する有機ＥＬ素子ＥＬＲの特性、曲線ｃは青（Ｂ）を発光する有機ＥＬ素子ＥＬＢの特性である。これらの図から分かるように、緑（Ｇ）を発光する有機ＥＬ素子ＥＬＧの特性と青（Ｂ）発光する有機ＥＬ素子ＥＬＢの特性とはいずれも比較的類似しているが、赤（Ｒ）を発光する有機ＥＬ素子ＥＬＲの特性は、これら緑（Ｇ）を発光する有機ＥＬ素子ＥＬＧの特性や青（Ｂ）を発光する有機ＥＬ素子ＥＬＢの特性とはかなり異なっている。
【０００９】
例えば、図１１によれば、約１０，０００（ｃｄ／ｍ２）の輝度で発光させる場合、印加電圧は、緑（Ｇ）では約７．５（Ｖ）、青（Ｂ）では約１１．２（Ｖ）ですむのに対し、赤（Ｒ）では約１４．５（Ｖ）も必要である。データ電極駆動回路をＩＣで構成した場合、各色ごとに印加電圧を設定することはほとんど不可能であり、通常、印加電圧は、最も特性の良くない赤（Ｒ）を基準として、１２〜１３（Ｖ）に設定されている。印加電圧が１２（Ｖ）であるとすると、図１１によれば、赤（Ｒ）の輝度が約２，８００（ｃｄ／ｍ２）であるのに対して、青（Ｂ）の輝度は約１２，０００（ｃｄ／ｍ２）、緑（Ｇ）の輝度に至っては約５０，０００（ｃｄ／ｍ２）もある。その場合の電流密度は、図１２によれば、緑（Ｇ）が約４３０（ｍＡ／ｃｍ２）、青（Ｂ）が約２６０（ｍＡ／ｃｍ２）であるのに対し、赤（Ｒ）は約５０（ｍＡ／ｃｍ２）しかない。
【００１０】
したがって、モノクロを表示する有機ＥＬディスプレイを対象とし、同一の電流駆動能力を有する駆動部を有するデータ電極駆動回路用のＩＣを上記データ電極駆動回路１２及び１３に流用すると、赤（Ｒ）の場合には十分な輝度が得られず、一方、青（Ｂ）や緑（Ｇ）の場合には過剰な印加電圧が印加されるため消費電力が高くなってしまうという欠点があった。これにより、満足なフルカラー表示が得られず、昨今の高精細化の要求に応えられないとともに、低消費電力化も実現し難いという問題があった。また、最近では、ディスプレイの大画面化の要求が高まっており、有機ＥＬディスプレイを大画面化する場合、上記ダブルスキャン方法は必須の駆動方法であるが、このダブルスキャン方法を採用した場合であっても、大画面化により１個の駆動部で駆動すべき有機ＥＬ素子の数が増加すれば、より一層満足なフルカラー表示が得られなくなってしまう。
【００１１】
以上説明した不都合は、上記したフルカラーを表示する有機ＥＬディスプレイだけの問題ではなく、発光ダイオードやＶＦＤ（特に、その一種のＦＥＤ）等の他の発光素子によって構成され、フルカラーを表示するディスプレイにおいても、緑（Ｇ）、赤（Ｒ）、青（Ｂ）の各色を発光する発光素子の各特性、特に、印加電圧−電流密度特性に差がある場合には、同様に発生する危険性がある。
【００１２】
この発明は、上述の事情に鑑みてなされたもので、各色を発光する発光素子によりフルカラーを表示するディスプレイにおいて、発光素子の特性に差がある場合であっても、十分な表示特性を得ることができるとともに、消費電力を低減することができ、高画質化を実現することができるディスプレイの駆動回路及び表示装置を提供することを目的としている。
【００１３】
【課題を解決するための手段】
上記課題を解決するために、請求項１記載の発明は、有機ＥＬ素子を所定の輝度で発光させるために必要とされる駆動電流の電流密度と該所定の輝度との関係を示す電気特性について、３原色のある色を発光する第１の有機ＥＬ素子の電気特性が他の２色を発光する第２及び第３の有機ＥＬ素子の電気特性と大きく異なる第１乃至第３の有機ＥＬ素子からなり、前記第１の有機ＥＬ素子を前記第２及び第３の有機ＥＬ素子によって挟む順序で列方向に順次繰り返して配置されているとともに、行方向に同一色を発光する有機ＥＬ素子が連続して配置されているディスプレイを駆動するディスプレイの駆動回路であって、前記第１の有機ＥＬ素子を駆動するための第１の駆動部と、前記第２及び第３の有機ＥＬ素子を駆動するための第２及び第３の駆動部とを、前記第１乃至第３の有機ＥＬ素子の列方向の配置に対応して、前記第１の駆動部を前記第２及び第３の駆動部によって挟む順序で列方向に順次繰り返して配置してなり、前記第１乃至第３の駆動部は、水平同期信号に同期して、駆動対象となる有機ＥＬ素子に対応する映像信号の電流値を、基準電流として、該有機ＥＬ素子の前記電気特性に応じた入出力電流比を有するカレントミラー回路に入力することによって、該電気特性に応じた電流値を有するパルス信号を、該有機ＥＬ素子に供給することを特徴としている。
【００１４】
また、請求項２記載の発明は、請求項１記載のディスプレイの駆動回路に係り、前記ディスプレイは、行方向に所定間隔で配線された複数本の走査電極と列方向に所定間隔で配線された複数本のデータ電極との各交点にそれぞれ前記第１乃至第３の発光素子が配列された単純マトリックス型であることを特徴としている。
【００１５】
また、請求項３記載の発明は、請求項１または２に記載のディスプレイの駆動回路を備えてなることを特徴としている。
【００２４】
【作用】
この発明の構成によれば、各色を発光する発光素子によりフルカラーを表示するディスプレイにおいて、発光素子の特性に差がある場合であっても、十分な表示特性を得ることができ、高画質化を実現することができる。また、消費電力を低減することができる。
【００２５】
【発明の実施の形態】
以下、図面を参照して、この発明の実施の形態について説明する。説明は、実施例を用いて具体的に行う。
Ａ．第１の実施例
まず、この発明の第１の実施例について説明する。
図１は、この発明の第１の実施例である有機ＥＬディスプレイ１の駆動回路の構成を示すブロック図である。この図において、図１０の各部に対応する部分には同一の符号を付け、その説明を省略する。図１に示す有機ＥＬディスプレイ１の駆動回路においては、図１０に示すデータ電極駆動回路１２及び１３に代えて、データ電極駆動回路２１及び２２が新たに設けられている。
【００２６】
データ電極駆動回路２１及び２２は、ＩＣにより構成され、コントローラ１１から供給される水平走査パルスＰＨのタイミングで、電圧信号である映像緑信号ＳＧ、映像赤信号ＳＲ、映像青信号ＳＢから所定の電流値を有する電流信号であるデータ緑信号ＩＤＧ、データ赤信号ＩＤＲ、データ青信号ＩＤＢを生成し、有機ＥＬディスプレイ１の対応するデータ電極３に印加する。データ電極駆動回路２１及び２２は、緑（Ｇ）及び青（Ｂ）をそれぞれ発光する有機ＥＬ素子ＥＬＧ及びＥＬＢを駆動するのに十分な所定の電流駆動能力を有する駆動部２３と、赤（Ｒ）を発光する有機ＥＬ素子ＥＬＲを駆動するのに十分であり、駆動部２３より高い電流駆動能力を有する駆動部２４とからなり、緑（Ｇ）、赤（Ｒ）、青（Ｂ）の順でストライプ型に配置されている有機ＥＬ素子ＥＬＧ、ＥＬＲ、ＥＬＢ（図９の発光層６〜８参照）の配置に対応して、駆動部２３、駆動部２４、駆動部２３、駆動部２３、駆動部２４、駆動部２３、・・・の順で駆動部２３及び駆動部２４が繰り返し配置されているＩＣにより構成されている。
【００２７】
すなわち、データ電極駆動回路２１を構成するＩＣは、その内部に、左端部から右端部に向かって、駆動部２３、駆動部２４、駆動部２３、駆動部２３、駆動部２４、駆動部２３、・・・の順で駆動部２３及び２４が繰り返し配置されているとともに、その下端部に、有機ＥＬディスプレイ１の上端部に所定のピッチで設けられているデータ端子に対応して左端部から右端部に向かって上記所定のピッチと略等しいピッチで設けられている出力ピンを有し、各出力ピンには上記したように左端部から右端部に向かって配置されている駆動部２３及び２４のそれぞれの対応する出力端が接続されている。一方、データ電極駆動回路２２を構成するＩＣは、データ電極駆動回路２１を構成するＩＣと同一構造であり、単に上下を逆転して有機ＥＬディスプレイ１の下端部に対向して設けられているに過ぎない。つまり、図１において、データ電極駆動回路２１の左下端部に黒丸で示した基準となる出力ピンの位置を表すマーカがデータ電極駆動回路２２においては、右上端部に位置することになるのである。
【００２８】
ここで、図２に駆動部２３の構成の一例を示す。この例の駆動部２３は、バイポーラのトランジスタＱ１〜Ｑ６と、抵抗Ｒ１〜Ｒ３とから構成され、その出力端に接続されたデータ電極３を介して、緑（Ｇ）又は青（Ｂ）を発光する有機ＥＬ素子ＥＬＧ又はＥＬＢにデータ緑信号ＩＤＧ又はデータ青信号ＩＤＢを供給する。トランジスタＱ１及びＱ２、トランジスタＱ１及びＱ３並びにトランジスタＱ５及びＱ６はそれぞれカレントミラー回路を構成している。トランジスタＱ１とトランジスタＱ２との間の電流比は１：１であるが、トランジスタＱ１とトランジスタＱ３との間の電流比は１：６である。トランジスタＱ４は、データ電極駆動回路２１及び２２の内部に設けられている制御部から供給される"Ｈ"レベルの制御信号ＳＳＷが印加されるとオンし、トランジスタＱ３を動作状態とする。トランジスタＱ５及びＱ６からなるカレントミラー回路は、トランジスタＱ１及びＱ２からなるカレントミラー回路及びトランジスタＱ１及びＱ３からなるカレントミラー回路のそれぞれの能動負荷を構成している。抵抗Ｒ１〜Ｒ３は、それぞれトランジスタＱ１〜Ｑ３のエミッタ抵抗である。
【００２９】
また、図３に駆動部２４の構成の一例を示す。この図において、図２の各部に対応する部分には同一の符号を付け、その説明を省略する。図３に示す駆動部２４においては、図２に示すトランジスタＱ３に代えて、バイポーラのトランジスタＱ１１が新たに設けられている。この例の駆動部２４は、その出力端に接続されたデータ電極３を介して、赤（Ｒ）を発光する有機ＥＬ素子ＥＬＲにデータ赤信号ＩＤＲを供給する。トランジスタＱ１及びＱ１１はカレントミラー回路を構成している。
【００３０】
次に、上記構成のディスプレイの駆動回路を構成するデータ電極駆動回路２１及び２２の動作について、図４に示すフローチャートを参照して説明する。図４（１）において、１Ｈは１走査期間を表している。コントローラ１１からデータ電極駆動回路２１及び２２に水平走査パルスＰＨ（図４（１）参照）が重畳された映像緑信号ＳＧ、映像赤信号ＳＲ、映像青信号ＳＢ（図示略）が供給されると、データ電極駆動回路２１及び２２を構成する駆動部２３及び２４のトランジスタＱ１及びＱ２からなるカレントミラー回路が動作するが、水平走査パルスＰＨが"Ｌ"レベルの期間では、能動負荷であるトランジスタＱ５及びＱ６からなるカレントミラー回路から供給されるデータ信号ＩＤは０である（図４（３）参照）。これにより、対応する有機ＥＬ素子には、その両端に図４（４）に示すようにデータ電圧ＶＤは印加されず、図４（５）に示すように有機ＥＬ電流ＩＥＬは流れない。この処理をプリチャージと呼ぶ。
【００３１】
次に、水平走査パルスＰＨが"Ｌ"レベルから"Ｈ"レベルに変化してから所定時間経過後、図４（２）に示すように、データ電極駆動回路２１及び２２の内部に設けられている制御部から"Ｈ"レベルの制御信号ＳＳＷが駆動部２３及び２４に供給されると、制御信号ＳＳＷが"Ｈ"レベルの期間、トランジスタＱ４がオンするので、その期間トランジスタＱ３及びＱ１１が動作状態となる。これにより、駆動部２３及び２４においては、トランジスタＱ１及びＱ２からなるカレントミラー回路だけでなく、トランジスタＱ１及びＱ３からなるカレントミラー回路又はトランジスタＱ１及びＱ１１からなるカレントミラー回路も動作し、能動負荷であるトランジスタＱ５及びＱ６からなるカレントミラー回路から、制御信号ＳＳＷが"Ｈ"レベルの期間、基準電流ＩＲＥＦに対して正極性のパルスからなるデータ信号ＩＤが駆動部２３及び２４の出力端に接続されたデータ電極３に供給される（図４（３）参照）。したがって、有機ＥＬ素子ＥＬＧ及びＥＬＢは、対応するデータ電極３にトランジスタＱ１とトランジスタＱ３との間の電流比１：６に応じた電流が流れるので、その両端に図４（４）に示すデータ電圧ＶＤが印加されるとともに、図４（５）に示す有機ＥＬ電流ＩＥＬが流れる。一方、有機ＥＬ素子ＥＬＲは、対応するデータ電極３にトランジスタＱ１とトランジスタＱ１１との間の電流比１：１０に応じた電流が流れるので、その両端に図４（４）に示すデータ電圧ＶＤが印加されるとともに、図４（５）に示す有機ＥＬ電流ＩＥＬが流れる。これにより、有機ＥＬ素子ＥＬＧ、ＥＬＲ、ＥＬＢは、それぞれ緑（Ｇ）、赤（Ｒ）、青（Ｂ）で発光する。
【００３２】
このように、この例においては、緑（Ｇ）、赤（Ｒ）、青（Ｂ）をそれぞれ発光する有機ＥＬ素子ＥＬＧ、ＥＬＲ、ＥＬＢがこの色の順でストライプ型に配置されているとともに、赤（Ｒ）を発光する有機ＥＬ素子ＥＬＲの印加電圧−輝度特性や印加電圧−電流密度特性が緑（Ｇ）、青（Ｂ）をそれぞれ発光する有機ＥＬ素子ＥＬＧ、ＥＬＢの印加電圧−輝度特性や印加電圧−電流密度特性に比べて大きく異なっている有機ＥＬディスプレイを、有機ＥＬ素子ＥＬＧ及びＥＬＢを駆動するのに十分な所定の電流駆動能力を有する駆動部２３と、有機ＥＬ素子ＥＬＲを駆動するのに十分であり、駆動部２３より高い電流駆動能力を有する駆動部２４とが、有機ＥＬ素子ＥＬＧ、ＥＬＲ、ＥＬＢの配置に対応して配置されているＩＣにより構成されているデータ電極駆動回路２１及び２２を用いて駆動している。
これにより、赤（Ｒ）を表示する場合でも十分な輝度が得られるとともに、青（Ｂ）や緑（Ｇ）を表示する場合でも適切な印加電圧が印加されるため消費電力を削減することができる。したがって、満足なフルカラー表示を得ることができ、高画質化の要求に応えることができる。また、ダブルスキャン方法が採用されている有機ＥＬディスプレイについても、データ電極駆動回路２１を構成しているＩＣの上下を逆転させるだけでデータ電極駆動回路２２とすることができるので、汎用性が高い。
【００３３】
Ｂ．第２の実施例
次に、この発明の第２の実施例について説明する。
図５は、この発明の第２の実施例である有機ＥＬディスプレイ１の駆動回路の構成を示すブロック図である。この図において、図１の各部に対応する部分には同一の符号を付け、その説明を省略する。この図に示す有機ＥＬディスプレイ１の駆動回路においては、図１に示すデータ電極駆動回路２１及び２２に代えて、データ電極駆動回路３１及び３２が新たに設けられている。
【００３４】
データ電極駆動回路３１及び３２は、コントローラ１１から供給される水平走査パルスＰＨのタイミングで、電圧信号である映像緑信号ＳＧ、映像赤信号ＳＲ、映像青信号ＳＢから所定の電流値を有する電流信号であるデータ緑信号ＩＤＧ、データ赤信号ＩＤＲ、データ青信号ＩＤＢを生成し、有機ＥＬディスプレイ１の対応するデータ電極３に印加する。データ電極駆動回路３１及び３２は、緑（Ｇ）を発光する有機ＥＬ素子ＥＬＧを駆動するのに十分な電流駆動能力を有する駆動部３３と、青（Ｂ）を発光する有機ＥＬ素子ＥＬＧを駆動するのに十分な電流駆動能力を有する駆動部３４と、赤（Ｒ）を発光する有機ＥＬ素子ＥＬＲを駆動するのに十分であり、駆動部３３及び３４より高い電流駆動能力を有する駆動部２４とからなり、緑（Ｇ）、赤（Ｒ）、青（Ｂ）の順でストライプ型に配置されている有機ＥＬ素子ＥＬＧ、ＥＬＲ、ＥＬＢ（図９の発光層６〜８参照）の配置に対応して、駆動部３３、駆動部２４、駆動部３４、駆動部３３、駆動部２４、駆動部３４、・・・の順で駆動部３３、駆動部２４及び駆動部３４が繰り返し配置されているＩＣにより構成されている。
【００３５】
すなわち、データ電極駆動回路３１を構成するＩＣは、その内部に、左端部から右端部に向かって駆動部３３、駆動部２４、駆動部３４、駆動部３３、駆動部２４、駆動部３４、・・・の順で駆動部３３、駆動部２４及び駆動部３４が繰り返し配置されているとともに、その下端部に、有機ＥＬディスプレイ１の上端部に所定のピッチで設けられているデータ端子に対応して左端部から右端部に向かって上記所定のピッチと略等しいピッチで設けられている出力ピンを有し、各出力ピンには上記したように左端部から右端部に向かって配置されている駆動部３３、駆動部２４及び駆動部３４のそれぞれの対応する出力端が接続されている。一方、データ電極駆動回路３２を構成するＩＣは、データ電極駆動回路３１を構成するＩＣと同一構造であり、単に上下を逆転して有機ＥＬディスプレイ１の下端部に対向して設けられているに過ぎない。つまり、図５において、データ電極駆動回路３１の左下端部に黒丸で示した基準となる出力ピンの位置を表すマーカがデータ電極駆動回路３２においては、右上端部に位置することになるのである。但し、データ電極駆動回路３２においては、駆動部３３の出力端に接続された各出力ピンが緑（Ｇ）を発光する有機ＥＬ素子ＥＬＧが接続されているデータ電極３に接続され、駆動部３４の出力端に接続された各出力ピンが青（Ｂ）を発光する有機ＥＬ素子ＥＬＢが接続されているデータ電極３に接続されるように、配線を変更している。
【００３６】
ここで、図６に駆動部３３の構成の一例を示す。この図において、図２の各部に対応する部分には同一の符号を付け、その説明を省略する。図６に示す駆動部３３においては、図２に示すトランジスタＱ３に代えて、バイポーラのトランジスタＱ２１が新たに設けられている。この例の駆動部３３は、その出力端に接続されたデータ電極３を介して、緑（Ｇ）を発光する有機ＥＬ素子ＥＬＧにデータ緑信号ＩＤＧを供給する。トランジスタＱ１及びＱ２１はカレントミラー回路を構成しており、トランジスタＱ１とトランジスタＱ２１との間の電流比は例えば、１：５である。

【００３７】
また、図７に駆動部３４の構成の一例を示す。この図において、図２の各部に対応する部分には同一の符号を付け、その説明を省略する。図７に示す駆動部３４においては、図２に示すトランジスタＱ３に代えて、バイポーラのトランジスタＱ２２が新たに設けられている。この例の駆動部３４は、その出力端に接続されたデータ電極３を介して、青（Ｂ）を発光する有機ＥＬ素子ＥＬＢにデータ青信号ＩＤＢを供給する。トランジスタＱ１及びＱ２２はカレントミラー回路を構成しており、トランジスタＱ１とトランジスタＱ２２との間の電流比は例えば、１：７である。
なお、上記構成の有機ＥＬディスプレイ１の駆動回路を構成するデータ電極駆動回路３１及び３２の動作については、上記した第１の実施例と略同様であるので、その説明を省略する。
【００３８】
このように、この例においては、緑（Ｇ）、赤（Ｒ）、青（Ｂ）をそれぞれ発光する有機ＥＬ素子ＥＬＧ、ＥＬＲ、ＥＬＢがこの色の順でストライプ型に配置されているとともに、各色を発光する有機ＥＬ素子の印加電圧−輝度特性や印加電圧−電流密度特性がそれぞれ異なっている有機ＥＬディスプレイを、各有機ＥＬ素子を駆動するのに十分な電流駆動能力を有する駆動部３３、駆動部２４及び駆動部３４とが、有機ＥＬ素子ＥＬＧ、ＥＬＲ、ＥＬＢの配置に対応して配置されているＩＣにより構成されているデータ電極駆動回路３１及び３２を用いて駆動している。
これにより、緑（Ｇ）、赤（Ｒ）、青（Ｂ）のいずれを表示する場合でも十分な輝度が得られるとともに、各有機ＥＬ素子ＥＬＧ、ＥＬＲ、ＥＬＢごとに適切な印加電圧が印加されるため消費電力をより一層削減することができる。
【００３９】
以上、この発明の実施例を図面を参照して詳述してきたが、具体的な構成はこの実施例に限られるものではなく、この発明の要旨を逸脱しない範囲の設計の変更等があってもこの発明に含まれる。
例えば、上述の各実施例においては、この発明を図１に示す単純マトリックス型の有機ＥＬディスプレイ１に適用する例を示したが、これに限定されず、この発明は、図８に示すような、列方向に所定間隔で形成されたデータ電極３と、行方向に所定間隔で形成された走査電極１０との交点にスイッチング素子であるダイオード４２を配置したパッシブ・マトリックス型の有機ＥＬディスプレイ４１にも適用することができる。
また、上述の各実施例においては、データ電極駆動回路２１、２２、３１及び３２をＩＣにより構成し、その下端部に出力ピンを有する例を示したが、これに限定されず、出力ピンは上端部に有するように構成しても良い。この場合、データ電極駆動回路２２及び３２は有機ＥＬディスプレイ１の下端部にその上端部を対向させて設けられ、データ電極駆動回路２１及び３１は有機ＥＬディスプレイ１の上端部に上下を逆転させた場合の下端部を対向させて設けられることになる。
【００４０】
また、上述の第１の実施例においては、駆動部２３を構成するトランジスタＱ１とトランジスタＱ３との間の電流比を１：６とする例を示したが、これに限定されず、緑（Ｇ）を発光する有機ＥＬ素子ＥＬＧを駆動する駆動部２３と、青（Ｂ）を発光する有機ＥＬ素子ＥＬＢを駆動する駆動部２３とに印加する"Ｈ"レベルの制御信号ＳＳＷのパルス幅（図４（２）参照）を異ならせるように構成しても良い。このように構成すれば、より一層消費電力を効率的に低減できるとともに、表示特性を改善することができる。また、上述の第２の実施例においても、駆動部３３、２４及び３４に印加する"Ｈ"レベルの制御信号ＳＳＷのパルス幅（図４（２）参照）を異ならせるように構成しても良い。また、有機ＥＬディスプレイ１の個体ごとに電気特性のばらつきがある場合にも、上述の各実施例において、駆動部２３、２４、３３及び３４に印加する"Ｈ"レベルの制御信号ＳＳＷのパルス幅（図４（２）参照）を異ならせるように構成しても良い。このように構成すれば、有機ＥＬディスプレイ１の個体ごとの電気特性のばらつきに対しても十分に対応することができ、表示特性を改善することができる。
また、上述の各実施例においては、駆動部２３、２４、３３及び３４をいずれもバイポーラのトランジスタにより構成する例を示したが、これに限定されず、これらの駆動部をＭＯＳＦＥＴにより構成しても良い。
また、上述の各実施例においては、この発明をダブルスキャン方法を採用した有機ＥＬディスプレイ１に適用する例を示したが、これに限定されず、この発明は、データ電極３が表示領域の下端から上端にわたって配線され、上端又は下端のいずれか一方から表示領域外に引き出されそれぞれ上端部又は下端部に所定のピッチで設けられたデータ端子に接続されている有機ＥＬディスプレイにも適用することができる。
【００４１】
また、上述の各実施例においては、この発明を、緑（Ｇ）、赤（Ｒ）、青（Ｂ）をそれぞれ発光する有機ＥＬ素子ＥＬＧ、ＥＬＲ、ＥＬＢがこの色の順でストライプ型に配置されているとともに、赤（Ｒ）を発光する有機ＥＬ素子ＥＬＲの印加電圧−輝度特性や印加電圧−電流密度特性が緑（Ｇ）、青（Ｂ）をそれぞれ発光する有機ＥＬ素子ＥＬＧ、ＥＬＢの印加電圧−輝度特性や印加電圧−電流密度特性に比べて大きく異なっている有機ＥＬディスプレイ１に適用する例を示したが、これに限定さない。この発明は、要するに、３原色をそれぞれ発光する３種類の発光素子からなり、ある色を発光する発光素子の電気特性が他の２色を発光する２種類の発光素子の電気特性と大きく異なり、前者を後二者によって挟むように配置されたストライプ型の有機ＥＬディスプレイにも適用することができる。
また、上述の各実施例においては、この発明を有機ＥＬ素子によって構成されている有機ＥＬディスプレイ１に適用する例を示したが、これに限定されず、この発明は、無機ＥＬ素子、発光ダイオード、ＶＦＤ（特に、その一種のＦＥＤ）等の発光素子によって構成されているストライプ型のディスプレイにも適用することができる。各色を発光する発光素子の電気特性、特に、印加電圧−電流密度特性に差がある場合には、同様の効果が得られるからである。
また、この発明によるディスプレイの駆動回路は、パーソナルコンピュータのモニタなどに用いられるディスプレイを備えた表示装置にも適用することができる。
【００４２】
【発明の効果】
以上説明したように、この発明の構成によれば、第１の発光素子を駆動するのに十分な駆動能力を有する第１の駆動部と、第２及び第３の発光素子を駆動するのに十分な駆動能力を有する第２の駆動部とを、第１乃至第３の発光素子の列方向の配置に対応して、第１の駆動部を第２の駆動部によって挟む順序で列方向に順次繰り返して配置しているので、各色を発光する発光素子によりフルカラーを表示するディスプレイにおいて、発光素子の特性に差がある場合であっても、十分な表示特性を得ることができ、高画質化を実現することができる。また、消費電力を低減することができる。
【図面の簡単な説明】
【図１】この発明の第１の実施例である有機ＥＬディスプレイ１の駆動回路の構成を示すブロック図である。
【図２】同回路を構成するデータ電極駆動回路１２及び１３の駆動部２３の構成例を示す回路図である。
【図３】同回路を構成するデータ電極駆動回路１２及び１３の駆動部２４の構成例を示す回路図である。
【図４】同回路の動作の一例を説明するためのタイミング・チャートである。
【図５】この発明の第２の実施例である有機ＥＬディスプレイの駆動回路の構成を示すブロック図である。
【図６】同回路を構成するデータ電極駆動回路３１及び３２の駆動部３３の構成例を示す回路図である。
【図７】同回路を構成するデータ電極駆動回路３１及び３２の駆動部３４の構成例を示す回路図である。
【図８】この発明が適用される有機ＥＬディスプレイの他の構成例を示す模式的等価回路図である。
【図９】従来の有機ＥＬディスプレイの概略構成例を示す斜視図である。
【図１０】従来の有機ＥＬディスプレイの駆動回路の構成例を示すブロック図である。
【図１１】有機ＥＬディスプレイの印加電圧−輝度特性の一例を表す特性図である。
【図１２】有機ＥＬディスプレイの印加電圧−電流密度特性の一例を表す特性図である。
【符号の説明】
１    有機ＥＬディスプレイ
３    データ電極
１０  走査電極
２１，２２，３１，３２  データ電極駆動回路
２３，２４，３３，３４  駆動部
Ｑ１〜Ｑ６，Ｑ１１，Ｑ２１，Ｑ２２  トランジスタ
【図１】
0003875470.tif 000002
【図２】
0003875470.tif 000003
【図３】
0003875470.tif 000004
【図４】
0003875470.tif 000005
【図５】
0003875470.tif 000006
【図６】
0003875470.tif 000007
【図７】
0003875470.tif 000008
【図８】
0003875470.tif 000009
【図９】
0003875470.tif 000010
【図１０】
0003875470.tif 000011
【図１１】
0003875470.tif 000012
【図１２】
0003875470.tif 000013